(57)【要約】【課題】コイルを用いたスイッチング型電源回路を用いて、電源電圧から変換された所定の正出力電圧を発生するとともに、そのスイッチング型電源回路を利用して、所定の負出力電圧を発生する。【解決手段】スイッチング電源回路１０で、コイルＬ１と直列に接続されたスイッチＱ１をスイッチングして、入力電源電圧Ｖｃｃを昇圧した所定の正出力電圧Ｖｏ１を出力する。一方、負出力電圧発生回路３０で、正出力電圧Ｖｏ１から所定電圧Ｖｚだけ低い設定電圧と、スイッチングに伴い変化する電圧Ｖｏ１／零とに基づいて、所定電圧Ｖｚと同じ大きさの負出力電圧Ｖｏ１を発生する。【選択図】      図１
2004350390.tif 000002
【特許請求の範囲】
【請求項１】
コイル、
このコイルと直列に接続され、入力電圧電源から前記コイルへの通電をスイッチングするスイッチ、
前記コイルと前記スイッチとの直列接続点の電圧を整流し平滑し、正出力電圧として出力する整流平滑回路、
前記正出力電圧から正出力電圧用検出電圧を生成する正出力電圧検出回路、
前記正出力電圧用検出電圧が基準電圧と等しくなるように前記スイッチのオンオフスイッチングを行う制御回路、を有するスイッチング電源回路と、
前記正出力電圧から所定電圧だけ低い負出力電圧用設定電圧を生成する負出力電圧設定回路と、
前記コイルと前記スイッチとの接続点の電圧と、前記負出力電圧用設定電圧とに基づいて、前記所定電圧に応じた大きさの負出力電圧を発生するための負出力電圧発生回路と、を備える正負出力電圧用電源装置。
【請求項２】
前記負出力電圧発生回路は、一端が前記コイルと前記スイッチとの接続点に接続された第１コンデンサと、この第１コンデンサと第１ダイオードと第２コンデンサとが前記第１ダイオードのカソードが前記第１コンデンサの他端に接続されるようにこの順序で直列に接続した直列回路を、前記スイッチに並列に接続するとともに、第２ダイオードのアノードが前記第１ダイオードと前記第１コンデンサとの接続点に接続され、前記第２ダイオードのカソードが前記負出力電圧用設定電圧の出力個所に接続され、前記第２コンデンサの充電電圧を前記負出力電圧として出力する、ことを特徴とする請求項１記載の正負出力電圧用電源装置。
【請求項３】
コイル、
このコイルの出力端側に接続され、その出力端側の電圧を平滑し、正出力電圧として出力する平滑用コンデンサ、
前記コイルの入力端側に接続され、入力電圧電源から前記コイルへの通電をスイッチングする第１スイッチ、
前記コイルと前記平滑用コンデンサとの直列回路に並列に接続され、前記第１スイッチと相補的にスイッチングされる第２スイッチ、
前記正出力電圧から正出力電圧用検出電圧を生成する正出力電圧検出回路、
前記正出力電圧用検出電圧が基準電圧と等しくなるように前記第１スイッチ及び前記第２スイッチのオンオフスイッチングを行う制御回路を有するスイッチング電源回路と、
前記入力電圧電源の入力電圧から所定電圧だけ低い負出力電圧用設定電圧を生成する負出力電圧設定回路と、
前記コイルと前記第１スイッチとの接続点の電圧と、前記負出力電圧用設定電圧とに基づいて、前記所定電圧に応じた大きさの負出力電圧を発生するための負出力電圧発生回路と、を備える正負出力電圧用電源装置。
【請求項４】
前記負出力電圧発生回路は、一端が前記コイルと前記第１スイッチとの接続点に接続された第１コンデンサと、この第１コンデンサと第１ダイオードと第２コンデンサとが前記第１ダイオードのカソードが前記第１コンデンサの他端に接続されるようにこの順序で直列に接続した直列回路を、前記第２スイッチに並列に接続するとともに、第２ダイオードのアノードが前記第１ダイオードと前記第１コンデンサとの接続点に接続され、前記第２ダイオードのカソードが前記負出力電圧用設定電圧の出力個所に接続され、前記第２コンデンサの充電電圧を前記負出力電圧として出力する、ことを特徴とする請求項３記載の正負出力電圧用電源装置。
【請求項５】
前記正出力電圧検出回路は、少なくとも１つの発光ダイオードと定電流回路との直列回路により構成され、その直列接続点から前記正出力電圧用検出電圧を出力することを特徴とする、請求項１乃至４記載の正負出力電圧用電源装置。
【請求項６】
前記正出力電圧検出回路は、少なくとも１つの発光ダイオードと抵抗器との直列回路により構成され、その直列接続点から前記正出力電圧用検出電圧を出力することを特徴とする、請求項１乃至４記載の正負出力電圧用電源装置。
【請求項７】
前記正出力電圧検出回路は、抵抗分圧回路により構成され、その抵抗分圧回路の分圧点から前記正出力電圧用検出電圧を出力することを特徴とする、請求項１乃至４記載の正負出力電圧用電源装置。
【請求項８】
前記負出力電圧設定回路は、電圧降下素子としての少なくとも１つのツェナーダイオードと定電流回路との直列回路により構成され、その直列接続点から前記負出力電圧用設定電圧を出力することを特徴とする、請求項１乃至７記載の正負出力電圧用電源装置。
【請求項９】
前記負出力電圧設定回路は、電圧降下素子としての少なくとも１つのダイオードと定電流回路との直列回路により構成され、その直列接続点から前記負出力電圧用設定電圧を出力することを特徴とする、請求項１乃至７記載の正負出力電圧用電源装置。
【請求項１０】
前記負出力電圧設定回路の前記電圧降下素子の直列個数を変更して、前記負出力電圧用設定電圧を変更することを特徴とする、請求項８、９記載の正負出力電圧用電源装置。
【請求項１１】
前記負出力電圧設定回路は、電圧降下素子としての抵抗器と定電流回路との直列回路により構成され、その直列接続点から前記負出力電圧用設定電圧を出力することを特徴とする、請求項１乃至７記載の正負出力電圧用電源装置。
【発明の詳細な説明】
【０００１】
【発明の属する技術分野】
本発明は、コイルを用いたスイッチング型の電源回路を用いて、電源電圧から変換された正出力電圧とともに、所定の負出力電圧をも発生する正負出力電圧用電源装置に関する。
【０００２】
【従来の技術】
従来から電源電圧と異なる電圧を発生するための直流−直流コンバータとして、コイルを用いたスイッチング電源装置が用いられている。このスイッチング電源装置は、例えば昇圧型の場合には、直流入力電圧からコイルに流す電流をスイッチによりオン・オフして高電圧を得て、この高電圧を整流し平滑して、昇圧された出力電圧を得るものである（非特許文献１参照）。
【０００３】
また、電源電圧と異なる極性の電圧（負出力電圧）を発生させるためには、負出力電圧チャージポンプ回路を用いて電源電圧から負出力電圧を発生させる。そして、定電圧とする場合には、その発生された負出力電圧をシリーズレギュレータなどにより所定値の負出力電圧を得る必要がある（特許文献１参照）。
【０００４】
【非特許文献１】
鈴木雅臣、“定本  続  トランジスタ回路の設計”、ＣＱ出版、１９９７年７月１日、Ｐ．２５０〜Ｐ．２５３
【特許文献１】
特開２０００−９１５０３
【０００５】
【発明が解決しようとする課題】
近年、１つの電子機器（例えば、ＣＣＤカメラ等）において、所定の正出力電圧電源と他の所定の負出力電圧電源を必要とするものが、多くなってきている。しかし、ＤＣ−ＤＣコンバータとして一般的に用いられている従来のコイルを用いたスイッチング電源回路では、正出力電圧しか取り出すことができない。正出力電圧とあわせて、所定の負出力電圧をも必要とする場合には、従来の負出力電圧チャージポンプ回路とシリーズレギュレータとの組み合わせによる負出力電圧発生回路を、別途に設けていた。
【０００６】
正出力電圧用及び負出力電圧用に別々の電源回路を設けるのでは、部品点数も増え、所要スペースも大きくなる。また、コスト増の問題もある。
【０００７】
そこで、本発明は、コイルを用いたスイッチング型電源回路を用いて、電源電圧から変換された所定の正出力電圧を発生するとともに、そのスイッチング型電源回路を利用して、所定の負出力電圧を発生することができる正負出力電圧用電源装置を提供することを目的とする。
【０００８】
【課題を解決するための手段】
請求項１の正負出力電圧用電源装置は、コイルＬ１、このコイルと直列に接続され、入力電圧電源Ｖｃｃから前記コイルへの通電をスイッチングするスイッチＱ１、前記コイルと前記スイッチとの直列接続点Ａの電圧を整流し平滑し、正出力電圧Ｖｏ１として出力する整流平滑回路Ｄ１，Ｃ１、前記正出力電圧から正出力電圧用検出電圧Ｖｄｅｔを生成する正出力電圧検出回路１１、前記正出力電圧用検出電圧が基準電圧Ｖｒｅｆと等しくなるように前記スイッチのオンオフスイッチングを行う制御回路Ｃｏｎｔ、を有するスイッチング電源回路１０と、
前記正出力電圧から所定電圧Ｖｚだけ低い負出力電圧用設定電圧Ｖｏ１−Ｖｚを生成する負出力電圧設定回路２０と、
前記コイルと前記スイッチとの接続点の電圧Ｖｏ１／零と、前記負出力電圧用設定電圧とに基づいて、前記所定電圧に応じた大きさの負出力電圧Ｖｚを発生するための負出力電圧発生回路３０と、を備えることを特徴とする。
【０００９】
請求項２の正負出力電圧用電源装置は、請求項１記載の正負出力電圧用電源装置において、前記負出力電圧発生回路３０は、一端が前記コイルＬ１と前記スイッチＱ１との接続点に接続された第１コンデンサＣ２と、この第１コンデンサＣ２と第１ダイオードＤ２と第２コンデンサＣ３とが前記第１ダイオードのカソードが前記第１コンデンサの他端に接続されるようにこの順序で直列に接続した直列回路を、前記スイッチに並列に接続するとともに、第２ダイオードＤ３のアノードが前記第１ダイオードと前記第１コンデンサとの接続点に接続され、前記第２ダイオードのカソードが前記負出力電圧用設定電圧の出力個所に接続され、前記第２コンデンサの充電電圧を前記負出力電圧として出力する、ことを特徴とする。
【００１０】
請求項３の正負出力電圧用電源装置は、コイルＬ１Ａ、このコイルの出力端側に接続され、その出力端側の電圧を平滑し、正出力電圧Ｖｏ１として出力する平滑用コンデンサＣ１Ａ、前記コイルの入力端側に接続され、入力電圧電源Ｖｃｃから前記コイルへの通電をスイッチングする第１スイッチＱ１Ａ、前記コイルと前記平滑用コンデンサとの直列回路に並列に接続され、前記第１スイッチと相補的にスイッチングされる第２スイッチＱ２Ａ、前記正出力電圧から正出力電圧用検出電圧Ｖｄｅｔを生成する正出力電圧検出回路１１Ａ、前記正出力電圧用検出電圧が基準電圧Ｖｒｅｆと等しくなるように前記第１スイッチ及び前記第２スイッチのオンオフスイッチングを行う制御回路ＣｏｎｔＡを有するスイッチング電源回路１０Ａと、
前記入力電圧電源の入力電圧から所定電圧Ｖｚだけ低い負出力電圧用設定電圧Ｖｏ１−Ｖｚを生成する負出力電圧設定回路２０Ａと、
前記コイルと前記第１スイッチとの接続点Ａの入力電源電圧Ｖｃｃ／零と、前記負出力電圧用設定電圧とに基づいて、前記所定電圧に応じた大きさの負出力電圧Ｖｚを発生するための負出力電圧発生回路３０Ａと、を備えることを特徴とする。
【００１１】
請求項４の正負出力電圧用電源装置は、請求項３記載の正負出力電圧用電源装置において、前記負出力電圧発生回路は、一端が前記コイルＬ１Ａと前記第１スイッチＱ１Ａとの接続点に接続された第１コンデンサＣ２と、この第１コンデンサＣ２と第１ダイオードＤ２と第２コンデンサＣ３とが前記第１ダイオードのカソードが前記第１コンデンサの他端に接続されるようにこの順序で直列に接続した直列回路を、前記第２スイッチＱ２Ａに並列に接続するとともに、第２ダイオードＤ３のアノードが前記第１ダイオードと前記第１コンデンサとの接続点に接続され、前記第２ダイオードのカソードが前記負出力電圧用設定電圧の出力個所に接続され、前記第２コンデンサの充電電圧を前記負出力電圧として出力する、ことを特徴とする請求項３記載の正負出力電圧用電源装置。
【００１２】
請求項５の正負出力電圧用電源装置は、請求項１乃至４記載の正負出力電圧用電源装置において、前記正出力電圧検出回路は、少なくとも１つの発光ダイオードと定電流回路との直列回路により構成され、その直列接続点から前記正出力電圧用検出電圧を出力することを特徴とする。
【００１３】
請求項６の正負出力電圧用電源装置は、請求項１乃至４記載の正負出力電圧用電源装置において、前記正出力電圧検出回路は、少なくとも１つの発光ダイオードと抵抗器との直列回路により構成され、その直列接続点から前記正出力電圧用検出電圧を出力することを特徴とする。
【００１４】
請求項７の正負出力電圧用電源装置は、請求項１乃至４記載の正負出力電圧用電源装置において、前記正出力電圧検出回路は、抵抗分圧回路により構成され、その抵抗分圧回路の分圧点から前記正出力電圧用検出電圧を出力することを特徴とする。
【００１５】
請求項８の正負出力電圧用電源装置は、請求項１乃至７記載の正負出力電圧用電源装置において、前記負出力電圧設定回路は、電圧降下素子としての少なくとも１つのツェナーダイオードと定電流回路との直列回路により構成され、その直列接続点から前記負出力電圧用設定電圧を出力することを特徴とする。
【００１６】
請求項９の正負出力電圧用電源装置は、請求項１乃至７記載の正負出力電圧用電源装置において、前記負出力電圧設定回路は、電圧降下素子としての少なくとも１つのダイオードと定電流回路との直列回路により構成され、その直列接続点から前記負出力電圧用設定電圧を出力することを特徴とする。
【００１７】
請求項１０の正負出力電圧用電源装置は、請求項８、９記載の正負出力電圧用電源装置において、前記負出力電圧設定回路の前記電圧降下素子の直列個数を変更して、前記負出力電圧用設定電圧を変更することを特徴とする。
【００１８】
請求項１１の正負出力電圧用電源装置は、請求項１乃至７記載の正負出力電圧用電源装置において、前記負出力電圧設定回路は、電圧降下素子としての抵抗器と定電流回路との直列回路により構成され、その直列接続点から前記負出力電圧用設定電圧を出力することを特徴とする。
【００１９】
【発明の実施の形態】
以下、本発明の正負出力電圧用電源装置の実施の形態について、図を参照して説明する。図１は、本発明の第１実施の形態に係る正負出力電圧用電源装置の構成を示す図である。
【００２０】
図１において、スイッチング電源回路１０は、入力される電源電圧Ｖｃｃを昇圧して、昇圧された正出力電圧Ｖｏ１を出力する昇圧型の電源回路である。
【００２１】
電源電圧Ｖｃｃとグランド間にコイルＬ１とＮ型ＭＯＳトランジスタであるスイッチＱ１が直列に接続される。その直列接続点Ａから、整流用ダイオードＤ１と平滑用コンデンサＣ１とにより、直列接続点Ａの電圧が整流し平滑されて、正出力電圧Ｖｏ１として出力される。なお、電圧は、特に断らない場合には、グランドに対する電位である。
【００２２】
正出力電圧検出回路１１は、正出力電圧Ｖｏ１に応じた検出電圧Ｖｄｅｔを発生する。この例では、抵抗Ｒ１と抵抗Ｒ２との抵抗分圧回路により、正出力電圧Ｖｏ１を分圧して、検出電圧Ｖｄｅｔを得ている。検出電圧Ｖｄｅｔは、抵抗Ｒ１或いは、抵抗Ｒ２の値を変更して、その値を調整する。
【００２３】
制御回路Ｃｏｎｔは、検出電圧Ｖｄｅｔと基準電圧源Ｂ１からの基準電圧Ｖｒｅｆとが入力され、検出電圧Ｖｄｅｔが基準電圧Ｖｒｅｆに等しくなるように、スイッチＱ１をスイッチング制御するためのスイッチング信号を発生する。ここでは、基準電圧Ｖｒｅｆと検出電圧Ｖｄｅｔとの差を増幅して出力するエラーアンプＥａｍｐと、このエラーアンプＥａｍｐの出力に基づいてＰＷＭ信号を形成してスイッチング信号として出力するＰＷＭ制御回路を含んで構成されている。
【００２４】
このスイッチング電源回路１０により、正出力電圧Ｖｏ１は、電源電圧Ｖｃｃが昇圧された所定の電圧（＝Ｖｒｅｆ×（Ｒ１＋Ｒ２）／Ｒ２）になるように制御される。また、接続点Ａの電圧は、スイッチＱ１のオンとオフに応じて零と正出力電圧Ｖｏ１とになる。
【００２５】
負出力電圧設定回路２０は、正出力電圧Ｖｏ１点とグランド間に、所定個数のツェナーダイオードＺＤ１、ＺＤ２と定電流源Ｉ２０とが直列に接続されている。このツェナーダイオードは、所定電圧Ｖｚの降下電圧を得るものであるから、その所定電圧Ｖｚに応じて適切な個数が選択される。このツェナーダイオードと定電流源Ｉ２０との接続点Ｂから、正出力電圧Ｖｏ１より所定電圧Ｖｚだけ低い負出力電圧用設定電圧Ｖｏ１−Ｖｚが出力される。
【００２６】
負出力電圧発生回路３０は、第１コンデンサＣ２と第１ダイオードＤ２と第２コンデンサＣ３とが接続点Ａとグランド間に接続される。即ち、スイッチＱ１に並列に接続される。この第１ダイオードＤ２の極性は第１コンデンサ側がカソードである。第１ダイオードＤ２と第１コンデンサＣ２との接続点に第２ダイオードＤ３のアノードが接続され、その第２ダイオードＤ３のカソードが負出力電圧用設定電圧Ｖｏ１−Ｖｚの出力個所に接続される。この負出力電圧用設定電圧Ｖｏ１−Ｖｚの出力個所は、バッファ回路ＢＵＦの出力端である。このバッファ回路ＢＵＦは、オペアンプの非反転入力端（＋）に接続点Ｂが接続され、反転入力端（−）と出力端が接続されて、ボルテージフォロアとして構成されている。そして、第２コンデンサＣ３の充電電圧を負出力電圧Ｖｏ２として出力する。
【００２７】
このように構成された正負出力電圧用電源装置の動作を説明する。まず、スイッチング電源回路１０は、スイッチＱ１が検出電圧Ｖｄｅｔと基準電圧Ｖｒｅｆとが等しくなるように、スイッチング制御される。検出電圧Ｖｄｅｔと基準電圧Ｖｒｅｆとが等しくなった状態では、正出力電圧Ｖｏ１は、所定の電圧に制御されている。
【００２８】
このとき、バッファ回路ＢＵＦの出力端の電圧は、負出力電圧用設定電圧Ｖｏ１−Ｖｚになっている。一方、接続点Ａの電圧は、スイッチＱ１のオンとオフに応じて零と正出力電圧Ｖｏ１とが繰り返して発生されている。
【００２９】
負出力電圧発生回路３０においては、接続点Ａの電圧が正出力電圧Ｖｏ１であるときに、第１コンデンサＣ２と第２ダイオードＤ３を介した第１ルートにより、第１コンデンサＣ２が図示の極性に充電される。この第１コンデンサＣ２の充電電圧は、接続点Ａの電圧Ｖｏ１と負出力電圧用設定電圧Ｖｏ１−Ｖｚとの差の電圧Ｖｚ（即ち、所定電圧Ｖｚ）になっている。
【００３０】
次に、接続点Ａの電圧が零であるとき、即ちスイッチＱ１がオンであるときに、スイッチＱ１，第１コンデンサＣ２、第１ダイオードＤ２、第２コンデンサＣ３の直列回路を介した第２ルートが形成される。この第２ルートにより、第１コンデンサＣ２に充電された電荷が第２コンデンサＣ３に分配される。
【００３１】
この第１ルートによる第１コンデンサＣ２の充電と、第２ルートによる第１コンデンサＣ２と第２コンデンサＣ３への電荷配分を通して、第２コンデンサＣ３には図示のような負極性に電荷が充電されていく。この第１コンデンサＣ２の充電電荷は、充電と電荷配分の繰り返しにより徐々に上昇していき、定常的には、負の所定電圧Ｖｚになる。
【００３２】
この第２コンデンサＣ３に充電された負の所定電圧Ｖｚが、負出力電圧Ｖｏ２として出力される。この負出力電圧Ｖｏ２は、正出力電圧Ｖｏ１の大きさに関係なく、負出力電圧設定回路２０の所定個数のツェナーダイオードＺＤ１、ＺＤ２による降下電圧によって決定されるから、その大きさは一定である。また、必要に応じてツェナーダイオードの個数調整などによって、その大きさを変更できる。
【００３３】
図２は、本発明の第２の実施の形態に係り、正出力電圧検出回路１１を単なる電圧設定のみでなく、表示素子の駆動用としても用いることができるように構成したものである。
【００３４】
図２において、正出力電圧検出回路１１は、正出力電圧Ｖｏ１点とグランド間に、表示素子として用いられる複数の発光ダイオードＬＥＤ１〜ＬＥＤ４からなる発光ダイオード群と、この発光ダイオード群を発光させるために必要な所定の電流を流すための定電流源Ｉ１１とが直列に接続されている。この発光ダイオード群と定電流源Ｉ１１との直列接続点の電圧が、検出電圧Ｖｄｅｔとして制御回路Ｃｏｎｔに供給される。定電流源Ｉ１１の電流値は可変のものとし、適切な電流値に設定することができる。
【００３５】
この図２の正出力電圧検出回路１１においては、発光ダイオード群には定電流源Ｉ１１で設定された定電流が流れるから、各発光ダイオードＬＥＤ１〜ＬＥＤ４は予定された発光量で点灯する。
【００３６】
発光ダイオードは、一般に発光する際の電圧降下に多少のばらつきがあることが多い。しかし、このばらつきがあっても、発光に必要な定電流が流れるから、その発光量自体に問題はない。
【００３７】
また、定電流源Ｉ１１の電圧降下は、検出電圧Ｖｄｅｔであるから、この制御回路Ｃｏｎｔの制御作用により一定値（即ち、基準電圧Ｖｒｅｆ）に保たれる。したがって、定電流源Ｉ１１に印加される電圧は、その定電流動作に必要な一定値で常に確保される。
【００３８】
この場合、正出力電圧Ｖｏ１は、検出電圧Ｖｄｅｔと発光ダイオード群の降下電圧との和になるから、発光ダイオード群の降下電圧のばらつきに応じて変動する。しかし、負出力電圧Ｖｏ２は、接続点Ａの正出力電圧Ｖｏ１と、接続点Ｂの電圧Ｖｏ１−Ｖｚとの差電圧で得られるから、常に所定電圧Ｖｚの大きさとなる。
【００３９】
図３は、本発明の第３の実施の形態に係り、図２と同様に、正出力電圧検出回路１１を単なる電圧設定のみでなく、表示素子の駆動用としても用いることができるように構成したものである。
【００４０】
図３では、図２での定電流源Ｉ１１に代えて可変抵抗を用いて、発光ダイオード群と可変抵抗Ｒ１１とを直列接続している。その他の構成は図２と同じであるり、同様の効果を得ることができる。
【００４１】
図４は、本発明の第４の実施の形態に係り、負出力電圧設定回路２０での所定電圧Ｖｚを得る手段として、代替できる種々の構成を示している。
【００４２】
図４（ａ）は、所定電圧Ｖｚを得る手段として、複数のツェナーダイオードＺＤ１〜ＺＤ３を直列に接続し、そのうちの任意の数のツェナーダイオード（この例では、ＺＤ２、ＺＤ３）にそれぞれ並列にスイッチＱ２、Ｑ３を接続している。そのスイッチをオンすることにより、所定電圧Ｖｚを変更することができる。これらのスイッチＱ２、Ｑ３に代えて、配線で短絡しておき、それらの配線の所要個所を切断するようにして、所定電圧Ｖｚを変更することもできる。
【００４３】
図４（ｂ）は、所定電圧Ｖｚを得る手段として、複数のダイオードＤ１〜Ｄｎを直列に接続し、そのダイオードの直列数に応じた所定電圧Ｖｚを得る。この場合にも、任意の数のダイオードにそれぞれ並列にスイッチを接続し、そのスイッチをオンすることにより、所定電圧Ｖｚを変更することができる。また、これらのスイッチに代えて、配線で短絡しておき、それらの配線の所要個所を切断するようにして、所定電圧Ｖｚを変更することもできる。
【００４４】
図４（ｃ）は、所定電圧Ｖｚを得る手段として、可変抵抗器Ｒ２１を設けて、その設定された抵抗値に応じた所定電圧Ｖｚを得る。この場合には、可変抵抗器Ｒ２１の抵抗値や、定電流源Ｉ２０の電流値を変更することにより、任意の大きさの所定電圧Ｖｚを発生することができる。
【００４５】
図４（ｄ）は、所定電圧Ｖｚを得る手段として、同図（ａ）〜（ｃ）に示したような、所定電圧発生手段を外付けにするように、接続用に端子Ｐ１、Ｐ２を設けている。この端子Ｐ１、Ｐ２間に所定電圧発生手段を外付けすることにより、その端子Ｐ１、Ｐ２間に所定電圧Ｖｚを発生させることができる。
【００４６】
図５は、本発明の第５実施の形態に係る正負出力電圧用電源装置の構成を示す図である。
【００４７】
図５において、スイッチング電源回路１０Ａは、入力される電源電圧Ｖｃｃを降圧して、降圧された正出力電圧Ｖｏ１を出力する降圧型の電源装置である。
【００４８】
入力電源電圧Ｖｃｃから、Ｐ型ＭＯＳトランジスタの第１スイッチＱ１Ａを介してコイルＬ１Ａに通電する。このコイルＬ１Ａの出力端に平滑用コンデンサＣ１Ａを接続し、その平滑用コンデンサＣ１Ａの充電電圧を正出力電圧Ｖｏ１として出力する。また、Ｎ型ＭＯＳトランジスタの第２スイッチＱ２Ａが、コイルＬ１Ａと平滑用コンデンサＣ１Ａとの直列回路に並列になるように接続され、第１スイッチＱ１Ａと相補的（即ち、互いに逆の状態にオン・オフする）にスイッチングされる。
【００４９】
正出力電圧検出回路１１Ａは図１の正出力電圧検出回路１１と同様の構成である。また、制御回路ＣｏｎｔＡは、第１スイッチＱ１Ａ、第２スイッチＱ２Ａへの相補的なスイッチング信号を出力するものであり、その他の点は、図１の制御回路Ｃｏｎｔと同様の構成である。
【００５０】
このスイッチング電源回路１０Ａにより、正出力電圧Ｖｏ１は、電源電圧Ｖｃｃが降圧された所定の電圧（＝Ｖｒｅｆ×（Ｒ１＋Ｒ２）／Ｒ２）になるように制御される。また、第１スイッチＱ１ＡとコイルＬ１Ａとの接続点Ａの電圧は、第１スイッチＱ１Ａのオフとオンに応じて電源電圧Ｖｃｃと零とになる。
【００５１】
負出力電圧設定回路２０Ａは、電源電圧Ｖｃｃ点とグランド間に、所定個数のツェナーダイオードＺＤ１、ＺＤ２と定電流源Ｉ２０とが直列に接続されている。このツェナーダイオードは、所定電圧Ｖｚの降下電圧を得るものであるから、その所定電圧Ｖｚに応じて適切な個数が選択される。このツェナーダイオードと定電流源Ｉ２０との接続点Ｂから、電源電圧Ｖｃｃより所定電圧Ｖｚだけ低い負出力電圧用設定電圧Ｖｃｃ−Ｖｚが出力される。
【００５２】
負出力電圧発生回路３０Ａは、図１の負出力電圧発生回路３０と同様の構成である。また、正出力電圧検出回路１１Ａとして、図２及び図３に示された正出力電圧検出回路を用いることができる。また、負出力電圧設定回路２０Ａとして、図４（ａ）〜（ｄ）に示された負出力電圧設定回路を用いることができる。
【００５３】
この図５の正負出力電圧用電源装置は、以上の構成によって、スイッチング電源回路１０Ａから電源電圧Ｖｃｃが降圧された所定の正出力電圧Ｖｏ１と、負出力電圧発生回路３０Ａから所定電圧Ｖｚに等しくなる負出力電圧Ｖｏ２が出力される。
【００５４】
【発明の効果】
本発明によれば、まず、コイルを用いて入力電源電圧を昇圧または降圧するスイッチング型電源回路を用いて、電源電圧から変換された所定の正出力電圧を発生する。それとともに、そのスイッチングにともなって高電圧と零電圧とに変化する接続点電圧と、所定の正出力電圧または入力電源電圧から所定電圧だけ低くした負出力電圧用設定電圧とを用いて負出力電圧発生回路により、所定の負出力電圧を出力する。その負出力電圧発生回路は、２つのダイオードと２つのコンデンサの組み合わせにより構成できる。これにより、スイッチング型電源回路に簡単な回路を付加することにより、それぞれ所定値の正出力電圧及び負出力電圧を発生することができる。
【００５５】
また、本発明によれば、正出力電圧検出回路は、発光ダイオードと定電流回路或いは抵抗器との直列回路により構成され、その直列接続点から正出力電圧用検出電圧を出力する。したがって、発光ダイオードにはその発光に必要とされる適切な電流を供給することができるから、その発光ダイオードを光源として適切に発光させることができる。このときに、正出力電圧は発光ダイオードの電圧ばらつきによって、所定値から変わることもあるが、この場合でも負出力電圧は所定電圧で発生される。
【００５６】
また、本発明によれば、負出力電圧設定回路は、電圧降下素子としてのツェナーダイオード或いはダイオードと定電流回路との直列回路により構成され、その直列接続点から負出力電圧用設定電圧を出力する。そして、電圧降下素子の直列個数を変更して、負出力電圧用設定電圧を変更する。したがって、負出力電圧の大きさを決定する所定電圧は安定した大きさで得られるとともに、必要時にはその大きさを変更することができる。
【００５７】
また、負出力電圧設定回路は、電圧降下素子としての抵抗器と定電流回路との直列回路により構成され、その直列接続点から負出力電圧用設定電圧を出力する。そして、電圧降下素子である抵抗器の抵抗値や定電流回路の定電流値を調整可能とする。したがって、負出力電圧の大きさを決定する所定電圧は安定した大きさで得られるとともに、必要時にはその大きさを任意の値に調整することができる。
【図面の簡単な説明】
【図１】第１実施の形態に係る正負出力電圧用電源装置の構成図。
【図２】第２の実施の形態に係り、他の正出力電圧検出回路を示す図。
【図３】第３の実施の形態に係り、更に他の正出力電圧検出回路を示す図。
【図４】第４の実施の形態に係り、他の負出力電圧設定回路を示す図。
【図５】第５実施の形態に係る正負出力電圧用電源装置の構成図。
【符号の説明】
１０、１０Ａ  スイッチング電源回路
１１、１１Ａ  正出力電圧検出回路
２０、２０Ａ  負出力電圧設定回路
３０、３０Ａ  負出力電圧発生回路
Ｌ１、Ｌ１Ａ  コイル
Ｃ１、Ｃ１Ａ  平滑用コンデンサ
Ｄ１  ダイオード
Ｑ１  スイッチ
Ｑ１Ａ  第１スイッチ
Ｑ２Ａ  第２スイッチ
Ｃｏｎｔ、ＣｏｎｔＡ  制御回路
Ｒ１、Ｒ２  抵抗
Ｂ１  基準電圧源
ＺＤ１〜ＺＤ３  ツェナーダイオード
Ｉ２０  定電流源
Ｃ２  第１コンデンサ
Ｃ３  第２コンデンサ
Ｄ２  第１ダイオード
Ｄ３  第２ダイオード
ＢＵＦ  バッファ回路
Ｖｃｃ  入力電源電圧
Ｖｏ１  正出力電圧
Ｖｏ２  負出力電圧
Ｖｚ  所定電圧
ＬＥＤ１〜ＬＥＤ４  発光ダイオード
Ｉ１１  定電流源
【図１】
2004350390.tif 000003
【図２】
2004350390.tif 000004
【図３】
2004350390.tif 000005
【図４】
2004350390.tif 000006
【図５】
2004350390.tif 000007